(57)【要約】【目的】飲料ノズルの飲料吐出口からの後垂れ液の滴下をなくした飲料供給装置を提供することを目的とする。【構成】カップ式自動販売機１にはカップ供給装置１０が取り付けられ、カップ収容部１１の下部にはカップ払い出しコマの正逆方向の回転によりカップＣを払い出すカップ払い出し部１２、払い出されたカップＣの降下を案内するカップシュート１３と、該カップシュート１３への飲料ノズル２０および飲料ノズルカバー２１の侵入経路となる切り欠き１３ａが設けられている。原料と湯水とを用いて飲料を調製するミキシングボウル３０に装着した飲料注出ノズル３１から注出された飲料は、飲料ノズル２０に設けた液体が流下するように傾斜させた底面を有する飲料流下溝２０ａを流下して飲料吐出口２０ｂからカップＣに吐出される。【選択図】        図１
2008305367.tif 000002
【特許請求の範囲】
【請求項１】
原料と湯水とを用いて飲料を調製する飲料調製装置から注出された飲料を飲料流下溝を流下させて飲料吐出口からカップに吐出する飲料ノズルを備えた飲料供給装置において、
前記飲料流下溝底面を飲料流下方向に下げた段差の中央部に開口を設け、
前記飲料調製装置から飲料が注出されているときは当該注出された飲料を前記開口上を通過させて前記飲料吐出口から吐出させ、前記飲料調製装置から飲料が滴下するようになったときは当該滴下した飲料を前記開口内に流入させることを特徴とする飲料供給装置。
【請求項２】
前記段差の上流側底面中央部に前記飲料の流下方向に沿わせた線状の突起を設け、前記開口の下流側ノズル下側には下向きの突起を設けて、前記飲料調製装置から飲料が滴下するようになったときは当該滴下した飲料を前記線状の突起で導いて前記開口に流入させ、前記下向きの突起から流出させることを特徴とする請求項１に記載の飲料供給装置。
【請求項３】
前記段差の上流側底面中央部に前記飲料の流下方向に沿わせた三角形状の突起を設け、
前記飲料流下溝を流下している飲料が所定の流速を上回っているときは前記三角形状の突起の裾を通過させて前記飲料吐出口から吐出させ、前記飲料流下溝を流下している飲料が所定の流速を下回ったときは前記飲料を前記三角形状の突起の裾から前記段差の隅を伝わせて前記開口に導いて流入させることを特徴とする請求項１に記載の飲料供給装置。
【発明の詳細な説明】
【技術分野】
【０００１】
本発明は、原料と湯水とを用いて調製した飲料を供給するカップ式自動販売機や飲料ディスペンサなどの飲料供給装置に関するものである。
【背景技術】
【０００２】
カップ式自動販売機にはカップ供給装置から供給されたカップを載置するベンドステージが設けられ、ベンドステージの上方にはミキシングボウルで調製された飲料をカップに吐出する飲料ノズルが取り付けられ、当該飲料ノズルはミキシングボウルから注出された飲料を流下させてカップに吐出するために斜めに傾斜させてある（例えば、特許文献１参照）。
【特許文献１】特開２００１−１１８１４０号公報
【発明の開示】
【発明が解決しようとする課題】
【０００３】
しかしながら、飲料の供給時に、飲料がミキシングボウルから勢いよく注出している間は飲料ノズルを流下して飲料吐出口からカップに吐出するが、ミキシングボウル内の飲料が減少してくると流下する勢いがなくなり、飲料吐出口から飲料が滴下するようになり、この飲料の滴下状態、所謂飲料液の後垂れがしばらく続くことになる。
このような飲料液の後垂れが生じると、この後垂れ液がカップ周縁に滴下してカップ外周に付着し、カップを汚して商品性を低下させることになる。また、連続販売した場合には次販売時のカップに後垂れ液が入り、飲料液の混交（コンタミネーション）を生じさせる虞がある。
本発明は、上記実情に鑑みて、飲料ノズルの飲料吐出口からの後垂れ液の滴下をなくした飲料供給装置を提供することを目的とする。
【課題を解決するための手段】
【０００４】
上記目的を達成するため、本発明の請求項１に係る飲料供給装置は、原料と湯水とを用いて飲料を調製する飲料調製装置から注出された飲料を飲料流下溝を流下させて飲料吐出口からカップに吐出する飲料ノズルを備えた飲料供給装置において、
前記飲料流下溝底面を飲料流下方向に下げた段差の中央部に開口を設け、
前記飲料調製装置から飲料が注出されているときは当該注出された飲料を前記開口上を通過させて前記飲料吐出口から吐出させ、前記飲料調製装置から飲料が滴下するようになったときは当該滴下した飲料を前記開口内に流入させることを特徴とする。
また、本発明の請求項２に係る飲料供給装置は、上述した請求項１において、前記段差の上流側底面中央部に前記飲料の流下方向に沿わせた線状の突起を設け、前記開口の下流側ノズル下側には下向きの突起を設けて、前記飲料調製装置から飲料が滴下するようになったときは当該滴下した飲料を前記線状の突起で導いて前記開口に流入させ、前記下向きの突起から流出させることを特徴とする。
また、本発明の請求項３に係る飲料供給装置は、上述した請求項１において、前記段差の上流側底面中央部に前記飲料の流下方向に沿わせた三角形状の突起を設け、
前記飲料流下溝を流下している飲料が所定の流速を上回っているときは前記三角形状の突起の裾を通過させて前記飲料吐出口から吐出させ、前記飲料流下溝を流下している飲料が所定の流速を下回ったときは前記飲料を前記三角形状の突起の裾から前記段差の隅を伝わせて前記開口に導いて流入させることを特徴とする。
【発明の効果】
【０００５】
請求項１の発明によれば、原料と湯水とを用いて飲料を調製する飲料調製装置から注出された飲料を飲料流下溝を流下させて飲料吐出口からカップに吐出する飲料ノズルを備えた飲料供給装置の飲料流下溝底面を飲料流下方向に下げた段差の中央部に開口を設け、飲料調製装置から飲料が注出されているときは当該注出された飲料を開口上を通過させて飲料吐出口から吐出させ、飲料調製装置から飲料が滴下するようになったときは当該滴下した飲料を開口内に流入させるようにしたので、飲料ノズルの飲料吐出口からの後垂れ液の滴下がなくなり、後垂れ液がカップ周縁に滴下してカップ外周に付着してカップを汚して商品性を低下させることを防ぐことができ、また、連続販売した場合にも次販売時のカップに後垂れ液が入って飲料液の混交を起こす虞をなくした飲料供給装置を提供することが可能となる。
また、請求項２の発明によれば、段差の上流側底面中央部に飲料の流下方向に沿わせた線状の突起を設け、開口の下流側ノズル下側には下向きの突起を設けて、飲料調製装置から飲料が滴下するようになったときは当該滴下した飲料を線状の突起で導いて開口に流入させ、下向きの突起から流出させるようにしたので、飲料調製装置からの後垂れ液が飲料ノズルの飲料流下溝に残留することがなくなり、さらに、後垂れ液が飲料ノズルの下側を伝わって飲料吐出口から滴下することを防ぎ、連続販売した場合にも次販売時のカップに後垂れ液が入って飲料液の混交を起こすことを防止することができる。
【０００６】
また、請求項３の発明によれば、段差の上流側底面中央部に飲料の流下方向に沿わせた三角形状の突起を設け、飲料流下溝を流下している飲料が所定の流速を上回っているときは三角形状の突起の裾を通過させて飲料吐出口から吐出させ、飲料流下溝を流下している飲料が所定の流速を下回ったときは飲料を三角形状の突起の裾から段差の隅を伝わせて開口に導いて流入させるようにしたので、飲料流下溝を流下している飲料が所定の流速を上回っているときは開口に流れ込まないように導かれるので、流下している飲料が開口から流出することを低減できる。また、飲料流下溝を流下している飲料が所定の流速を下回ったときは飲料を三角形状の突起の裾から段差の隅を伝わせて開口に導いて流入させるので、飲料調製装置からの後垂れ液が飲料ノズルの飲料流下溝に残留することがなくなり、次販売時のカップに後垂れ液が入って飲料液の混交を起こすことを防止することができる。
【発明を実施するための最良の形態】
【０００７】
以下に添付図面を参照して、本発明に係る飲料供給装置の好適な実施の形態について詳細に説明する。なお、この実施の形態によりこの発明が限定されるものではない。
（実施の形態１）
図１および図２に本発明に係る飲料供給装置の実施の形態１としての、カップ供給装置から供給されてベンドステージに載置したカップに原料と湯水とを用いて飲料調製装置で調製した飲料を飲料ノズルの飲料吐出口から吐出して販売するカップ式自動販売機の概念図を示している。
カップ式自動販売機（飲料供給装置）１は、前面扉２が自販機本体（図示せず）にヒンジで取り付けられ、この前面扉２には利用客がカップ飲料を取り出すための販売扉３が開閉自在に設けられている。この前面扉２の自販機本体側にはカップ供給装置１０が図示しない金具で取り付けられ、カップ収容部１１の下部にはカップ払い出しコマ（図示せず）の正逆方向の回転によりカップＣを払い出すカップ払い出し部１２、払い出されたカップＣの降下を案内するカップシュート１３と、該カップシュート１３への飲料ノズル２０および飲料ノズルカバー２１の侵入経路となる切り欠き１３ａが設けられている。また、カップシュート１３の下方にはベンドステージ１４が配設され、カップ払い出し部１２がカップ払い出し動作を行うとカップ収容部１１に収容されているカップＣがカップシュート１３と飲料ノズルカバー２１のカップ案内部２１ａとで案内されて降下してベンドステージ１４に載置される。
【０００８】
原料と湯水とを用いて飲料を調製するミキシングボウル（飲料調製装置）３０に装着した飲料注出ノズル３１から注出された飲料は、飲料ノズル２０に設けた液体が流下するように傾斜させた底面を有する飲料流下溝２０ａを流下して飲料吐出口２０ｂからカップＣに吐出される。飲料ノズル２０は、駆動モータ２３の駆動軸に装着したピニオン（小歯車）２４と噛み合い、回転運動を直線運動に変えるラック２２ａを設けている飲料ノズル移動手段２２に載置されて取り付けられ、飲料ノズル移動手段２２はノズル移動ガイド２５で案内されて摺動自在に移動（図中左右方向に移動）する。そして、駆動モータ２３を図中上から見て右回転させると、ピニオン２４と噛み合っているラック２２ａにより飲料ノズル２０は右方向に移動して停止センサ（図示せず）が停止位置を検出すると図２に示す位置で停止し、カップ供給装置１０からカップＣを供給してベンドステージ１４に載置する際に飲料ノズル２０がカップＣの降下進路を妨げないようにしている。さらに、駆動モータ２３を左回転させると飲料ノズル２０は左方向に移動して停止センサ（図示せず）が停止位置を検出すると図１で示す位置で停止するので、飲料吐出口２０ｂをカップＣ開口の上方の最適な飲料吐出位置に移動でき、飲料吐出口２０ｂから飲料を吐出する際に飲料の飛散等を防止することができる。また、ノズル移動ガイド２５および駆動モータ２３は自販機本体に設けられている固定台２６に取り付けられる。
【０００９】
図３は原料と湯水とを用いて飲料を調製するミキシングボウル３０に装着した飲料注出ノズル３１から注出された飲料を飲料流下溝２０ａを流下させて飲料吐出口２０ｂからカップＣに吐出する飲料ノズル２０の鳥瞰図を示し、飲料ノズルカバー２１に設けた取付案内穴２１ｂに取付案内軸２０ｋを嵌挿して飲料ノズルカバー２１を飲料ノズル２０に載置して取り付けるようにしている。
このように構成したカップ式自動販売機１では、飲料販売待機時には、図１に示しているように、飲料ノズル２０に載置して取り付けた飲料ノズルカバー２１のカップ案内部２１ａがカップシュート１３の内部に進入した位置でカップ払い出し部１２の下方に配置されて停止している。
そして、利用客により販売ボタン（図示せず）が押されて飲料の販売指令が出力されると、先ず、駆動モータ２３を図中上から見て右回転させ、ピニオン２４に噛み合っているラック２２ａを設けている飲料ノズル移動手段２２に載置して取り付けている飲料ノズル２０を図２に示しているようにカップ供給装置１０から後退させる。次に、カップ払い出し部１２にカップ払い出し動作をさせてカップ収容部１１に収容されているカップＣを払い出してカップシュート１３とカップ案内部２１ａで協動して降下進路を案内してベンドステージ１４に載置する。
【００１０】
カップＣがベンドステージ１４に載置されると、駆動モータ２３を図中上から見て左回転させ、飲料吐出口２０ｂがカップＣ開口の上方中央部に配置されるように飲料ノズル２０を移動させる。飲料吐出口２０ｂが図１に示しているようにカップＣへの最適な飲料吐出位置に移動すると、図示しない原料貯蔵容器から供給された原料と温水タンクから供給された湯水とをミキシングボウル３０で攪拌混合して飲料を調製し、飲料注出ノズル３１から飲料ノズル２０の傾斜溝２０ａに注出する。注出された飲料は傾斜溝２０ａを流下してカップＣへの最適な飲料吐出位置に配置されている飲料吐出口２０ｂからカップＣに吐出される。このようにして、ミキシングボウル３０で原料と湯水とを用いて調製した飲料が飲料ノズル２０の傾斜溝２０ａを流下して飲料吐出口２０ｂからカップＣに吐出されてカップ飲料が出来上がると飲料調製終了ランプ（図示せず）が点灯して利用客にカップ飲料が出来上がったことを知らせる。利用客は販売扉３を開いてカップ飲料を取り出してカップ式自動販売機１によるカップ飲料の販売が終了する。
図４は飲料ノズル２０の平面図、図５はその右側面図、図６は右斜め上方から見た鳥瞰図、図７は左斜め上方から見た鳥瞰図、図８は図４のＡ−Ａ部を矢印方向に見た断面図、図９は図８のＣ部の拡大図、図１０は図４のＢ−Ｂ部を矢印方向に見た断面図を示している。飲料ノズル２０は、飲料注出ノズル３１から注出された飲料が流下するように底面２０ｃを飲料吐出口２０ｂ方向に傾斜させた飲料流下溝２０ａ、飲料流下溝２０ａを流下した飲料をカップＣに吐出する飲料吐出口２０ｂ、飲料流下溝２０ａの底面２０ｃを飲料流下方向に下げた段差２０ｄの下流側底面２０ｅ方向の中央部に配設した開口２０ｆ、段差２０ｄの上流側底面２０ｇ中央部に飲料の流下方向に沿わせて設けた線状の突起２０ｈ、開口２０ｆの下流側ノズル下側に設けた下向きの突起２０ｉ、飲料注出ノズル３１から注出された飲料を飲料流下溝２０ａ方向へ流下させる傾斜面２０ｊ、で構成されている。
【００１１】
そして、ミキシングボウル３０で調製した飲料が飲料注出ノズル３１から傾斜面２０ｊに勢いよく注出されて飲料流下溝２０ａを勢いよく流下しているときは飲料が開口２０ｆ上を通過して飲料吐出口２０ｂからカップＣに吐出する。しかし、ミキシングボウル３０内の飲料が減少してきて飲料注出ノズル３１から飲料が滴下するようになると滴下した飲料は線状の突起２０ｈに導かれて開口２０ｆに流入して下向きの突起２０ｇから流出して廃棄バケツ（図示せず）に導かれて廃棄される。
このように、ミキシングボウル３０から注出された飲料を飲料流下溝２０ａを流下させて飲料吐出口２０ｂからカップＣに吐出する飲料ノズル２０を備えたカップ式自動販売機１の飲料流下溝２０ａの底面２０ｃを飲料流下方向に下げた段差２０ｄの下流側底面２０ｅ方向の中央部に開口２０ｆを設け、ミキシングボウル３０から飲料が注出されているときは当該注出された飲料を開口２０ｆ上を通過させて飲料吐出口２０ｄから吐出させ、ミキシングボウル３０から飲料が滴下するようになったときは当該滴下した飲料を開口２０ｆ内に流入させるようにしたので、飲料ノズル２０の飲料吐出口２０ｂからの後垂れ液の滴下がなくなり、後垂れ液がカップＣ周縁に滴下してカップＣ外周に付着してカップＣを汚して商品性を低下させることを防ぐことができ、また、連続販売した場合にも次販売時のカップＣに後垂れ液が入って飲料液の混交を起こす虞をなくしたカップ式自動販売機１を提供することができるようになる。
【００１２】
さらに、段差２０ｄの上流側底面２０ｇ中央部に飲料の流下方向に沿わせた線状の突起２０ｈを設け、開口２０ｆの下流側ノズル下側には下向きの突起２０ｉを設けて、ミキシングボウル３０から飲料が滴下するようになったときは当該滴下した飲料を線状の突起２０ｈで導いて開口２０ｆに流入させ、下向きの突起２０ｉから流出させるようにしたので、ミキシングボウル３０からの後垂れ液が飲料ノズル２０の飲料流下溝２０ａに残留することがなくなり、さらに後垂れ液が飲料ノズル２０の下側を伝わって飲料吐出口２０ｂから滴下することを防ぎ、連続販売した場合にも次販売時のカップＣに後垂れ液が入って飲料液の混交を起こすことを防止することができる。
（実施の形態２）
つぎに、この発明の実施の形態２について図１１〜１５を参照して説明する。図１１は飲料ノズル４０の平面図、図１２は図１１のＤ−Ｄ部を矢印方向に見た断面図、図１３は図１２のＧ部の拡大図、図１４は図１１のＥ−Ｅ部を矢印方向に見た断面図、図１５は図１１のＦ−Ｆ部を矢印方向に見た断面図を示している。実施の形態１では、飲料ノズル２０の飲料流下溝２０ａ底面２０ｃを飲料流下方向に下げた段差２０ｄの中央部に開口２０ｆを設け、段差２０ｄの上流側底面２０ｇ中央部には飲料の流下方向に沿わせた線状の突起２０ｈを設け、開口２０ｆの下流側ノズル下側には下向きの突起２０ｉを設けて、ミキシングボウル３０から飲料が注出されているときは当該注出された飲料を開口２０ｆ上を通過させて飲料吐出口２０ｄから吐出させ、ミキシングボウル３０から飲料が滴下するようになったときは当該滴下した飲料を線状の突起２０ｈで導いて開口２０ｆに流入させ、下向きの突起２０ｉから流出させるようにしているが、この実施の形態２では、飲料ノズル４０の飲料流下溝４０ａ底面４０ｃを飲料流下方向に下げた段差４０ｄの中央部に開口４０ｆを設け、段差４０ｄの上流側底面４０ｇ中央部には飲料の流下方向に沿わせた三角形状の突起４０ｈを設け、飲料流下溝４０ａを流下している飲料が所定の流速を上回っているときは三角形状の突起４０ｈの裾４０ｋを通過させて下流側底面４０ｅを流下させて飲料吐出口４０ｂから吐出させ、飲料流下溝４０ａを流下している飲料が所定の流速を下回ったときは飲料を三角形状の突起４０ｈの裾４０ｋから段差４０ｄの隅４０ｍを伝わせて開口４０ｆに導いて流入させて下向きの突起４０ｉから流出させるようにしている。
【００１３】
このように、ミキシングボウル３０に装着した飲料注出ノズル３１から傾斜面４０ｊに注出された飲料が飲料流下溝４０ａを所定の流速を上回って流下しているときは三角形状の突起４０ｈの裾４０ｋを通過させて開口４０ｆに流れ込まないように飲料を導くので、流下している飲料が開口４０ｆから流出することを低減できる。また、飲料流下溝４０ａを流下している飲料が所定の流速を下回ったときは飲料を三角形状の突起４０ｈの裾４０ｋから段差４０ｄの隅４０ｍを伝わせて開口４０ｆに導いて流入させて下向きの突起４０ｉから流出させるので、ミキシングボウル３０からの後垂れ液が飲料ノズル４０の飲料流下溝４０ａに残留することがなくなり、次販売時のカップに後垂れ液が入って飲料液の混交を起こすことを防止することができる。
【図面の簡単な説明】
【００１４】
【図１】本発明に係る飲料供給装置の実施の形態１としてのカップ式自動販売機の販売待機時および飲料吐出時の飲料ノズル位置を示す概念図である。
【図２】本発明に係る飲料供給装置の実施の形態１としてのカップ式自動販売機のカップ供給時の飲料ノズル位置を示す概念図である。
【図３】図１に示した飲料調製装置と飲料ノズルを示す鳥瞰図である。
【図４】図１に示した飲料ノズルを示す平面図である。
【図５】図１に示した飲料ノズルを示す右側面図である。
【図６】図１に示した飲料ノズルを右斜め上方から見た鳥瞰図である。
【図７】図１に示した飲料ノズルを左斜め上方から見た鳥瞰図である。
【図８】図４に示した飲料ノズルのＡ−Ａ部を矢印方向に見た断面図である。
【図９】図８に示した飲料ノズルのＣ部の拡大図である。
【図１０】図４に示した飲料ノズルのＢ−Ｂ部を矢印方向に見た断面図である。
【図１１】本発明に係る飲料供給装置の実施の形態２としての飲料ノズルを示す平面図である。
【図１２】図１１に示した飲料ノズルのＤ−Ｄ部を矢印方向に見た断面図である。
【図１３】図１２に示した飲料ノズルのＧ部の拡大図である。
【図１４】図１１に示した飲料ノズルのＥ−Ｅ部を矢印方向に見た断面図である。
【図１５】図１１に示した飲料ノズルのＦ−Ｆ部を矢印方向に見た断面図である。
【符号の説明】
【００１５】
１    カップ式自動販売機（飲料供給装置）
１０    カップ供給装置
２０    飲料ノズル
２０ａ    飲料流下溝
２０ｂ    飲料吐出口
２０ｃ    底面
２０ｄ    段差
２０ｅ    下流側底面
２０ｆ    開口
２０ｇ    上流側底面
２０ｈ    線状の突起
２０ｉ    下向きの突起
２０ｊ    傾斜面
２１    飲料ノズルカバー
３０    ミキシングボウル（飲料調整装置）
３１    飲料注出ノズル
４０    飲料ノズル
４０ａ    飲料流下溝
４０ｂ    飲料吐出口
４０ｃ    底面
４０ｄ    段差
４０ｅ    下流側底面
４０ｆ    開口
４０ｇ    上流側底面
４０ｈ    三角形状の突起
４０ｉ    下向きの突起
４０ｊ    傾斜面
４０ｋ    裾
４０ｍ    隅
Ｃ    カップ
【図１】
2008305367.tif 000003
【図２】
2008305367.tif 000004
【図３】
2008305367.tif 000005
【図４】
2008305367.tif 000006
【図５】
2008305367.tif 000007
【図６】
2008305367.tif 000008
【図７】
2008305367.tif 000009
【図８】
2008305367.tif 000010
【図９】
2008305367.tif 000011
【図１０】
2008305367.tif 000012
【図１１】
2008305367.tif 000013
【図１２】
2008305367.tif 000014
【図１３】
2008305367.tif 000015
【図１４】
2008305367.tif 000016
【図１５】
2008305367.tif 000017